(57)【要約】【課題】  消費者に提示広告の内容を強く印象づけて、商品ないしサービスの販売を促す、運搬および組立が簡便な組立式広告ディスプレイＰＯＰを提供すること。  【解決手段】  直角四辺形平板(１)の中央に開口部(２)を設け、該平板の左右側辺のいずれか一方に少なくとも１個の凸部(Ｔ)を設け、他方の側辺に、前記凸部に対応する位置に、前記凸部と合い補完する形状の凹部(Ｏ)を設け、該凸部(Ｏ)と凹部(Ｔ)を嵌合することにより、前記平板を連結可能としたものであり、さらに前記開口部(２)には、該開口部内で回転可能な状態で、回転板(３)が取り付けられており、前記平板(１)および前記回転板(３)の表面ないし両面に広告意匠を表して成るパネルユニット(４)を含むことを特徴とする、組立式広告ディスプレイＰＯＰ。  【選択図】  図１
0003108966.tif 000002
【実用新案登録請求の範囲】
【請求項１】
直角四辺形平板(１)の中央に開口部(２)を設け、該平板の左右側辺のいずれか一方に少なくとも１個の凸部(Ｔ)を設け、他方の側辺に、前記凸部に対応する位置に、前記凸部と合い補完する形状の凹部(Ｏ)を設け、該凸部(Ｏ)と凹部(Ｔ)を嵌合することにより、前記平板(１)を連結可能としたものであり、さらに前記開口部(２)には、該開口部内で回転可能な状態で、回転板(３)が取り付けられており、前記平板(１)および前記回転板(３)の表面ないし両面に広告意匠を表して成るパネルユニット(４)を含むことを特徴とする、組立式広告ディスプレイＰＯＰ。
【請求項２】
前記平板(１)の上下辺にそれぞれ１以上の切り込み(Ｋ)が設けられていることを特徴とする、請求項１記載の組立式広告ディスプレイＰＯＰ。
【請求項３】
複数個数の前記パネルユニット(４)を、隣り合った平板の凹部(Ｏ)と凸部(Ｔ)を嵌合し、平板状に横に連結してなることを特徴とする、請求項１または請求項２の組立式広告ディスプレイＰＯＰ(５)。
【請求項４】
３枚以上の前記パネルユニット(４)を、隣り合った平板の凹部(Ｏ)と凸部(Ｔ)を嵌合し、中空の多角柱状組立体(６)としたことを特徴とする、請求項１ないし請求項２の組立式広告ディスプレイＰＯＰ。
【請求項５】
前記多角柱形状組立体(６)を上下に連結したものであって、上のパネルユニット(４)の平板(１)の下辺に設けた前記切り込み(Ｋ)が、下のパネルユニット(４)の平板(１)の上辺に設けた前記切り込み(Ｋ)に嵌め込まれていることを特徴とする、請求項４の組立式広告ディスプレイＰＯＰ。
【考案の詳細な説明】
【技術分野】
【０００１】
本考案は、優れた広告提示効果を有する奇抜な形態のパネルユニットから構成される、組立式の広告ディスプレイＰＯＰに関するものである。
【背景技術】
【０００２】
小売店やサービス業者、娯楽施設等においては、例えばキャンペーン中の商品ないしサービス等を客に印象づけて当該商品やサービスの販売を促進するために、適宜の宣伝文句や広告意匠を施した、様々趣向を凝らした店頭ないし店内支援具、例えば看板、ポスター、のぼり等が、店頭ないし店内に設置されている。
【考案の開示】
【考案が解決しようとする課題】
【０００３】
しかし、看板やポスター等の支援具は、従来より極めて普通に用いられるものであり、その形態にさほどの差はない。そのため、他店との差別化を図るために、提示する宣伝文句の内容や広告意匠の模様に趣向を凝らす等の様々な工夫がなされているが、かかる工夫を越える構成の、奇抜な態様の広告提示手段が所望される。従来も、多様な意匠を施した等身大パネル、のぼり、多角柱型ディスプレイ等の態様のものが開発され、利用されてきたが、それも今や仕掛けが尽きた感がある。また、これら看板や等身大パネル等は、大きかったり重かったりして、運搬が困難である問題もあった。加えて、従来の広告提示手段は、構成要素の組合せを変えて提示する広告意匠にバリエーションを持たせるというものではなく、所望の広告意匠のバリエーションごとに、広告提示手段全体を改めて作製しなければならない場合が多く、手間および費用がかかる問題があった。従って、提示する広告内容を消費者にいっそう強く印象づける奇抜な形態から成る広告提示手段であって、運搬、作製等における従来の問題を回避する新たな広告提示手段を提供することが、本考案の課題である。  
【課題を解決するための手段】
【０００４】
前記課題を解決するため、本考案は、直角四辺形平板の中央に開口部を設け、該平板の左右側辺のいずれか一方に少なくとも１個の凸部を設け、他方の側辺に、前記凸部に対応する位置に、前記凸部と合い補完する形状の凹部を設け、該凸部と凹部を嵌合することにより、前記平板を連結可能としたものであって、さらに前記開口部に、該開口部内で回転可能な状態で、回転板が取り付けられており、前記平板および前記回転板の表面ないし両面に広告意匠を表して成るパネルユニットを含むことを特徴とする、組立式広告ディスプレイＰＯＰを構成したものである。
【０００５】
前記課題を解決するため、本考案はさらに、前記平板の開口部の形状が円形、多角形ないしハート形のいずれかの形態であるものであり、前記回転板自身の形状が円形、多角形ないしハート形のいずれかの形態であるものであり、前記平板とその開口部に支持される前記回転板との組合せを変更して、多様な広告意匠を具現化することができるパネルユニットを含むことを特徴とする、組立式広告ディスプレイＰＯＰを構成したものである。
前記本考案の組立式広告ディスプレイＰＯＰに含まれるパネルユニットにおいて、前記平板の上下辺にはそれぞれ１以上の切り込みが設けられていてよい。
【０００６】
さらに、本考案の組立式広告ディスプレイＰＯＰは、複数個数の前記パネルユニットを、隣り合った平板の凹部と凸部を嵌合し、平板状に横に連結してなることを特徴とするものである。
さらに本考案の組立式広告ディスプレイＰＯＰは、３枚以上の前記パネルユニットを、隣り合った平板の凹部と凸部を嵌合し、中空の多角柱状組立体としたことを特徴とするものである。
さらに本考案の組立式広告ディスプレイＰＯＰは、前記多角柱状組立体を上下に連結したものであって、上のパネルユニットの平板の下辺に設けた前記切り込みが、下のパネルユニットの平板の上辺に設けた前記切り込みに嵌め込まれ、安定な積段形状を形成することを特徴とするものである。
【０００７】
前記パネルユニットを構成する平板は、隣り合うパネルユニットの凹凸部を嵌合して作成されるものが所定の形態を維持することができるような、所定の厚みおよび強さを有するものである。運搬面から、出来るだけ軽量のものが望ましいが、組み立てて店頭に設置した際に、風で飛んでしまうことのないよう、ある程度の重量は有する必要がある。かかる特性を備えた板には、段ボール板、発砲スチロール板、アクリル板、樹脂板等が挙げられるが、これらに限定されるものではない。
【０００８】
前記パネルユニットを構成する回転板は、前記平板と同質の板であっても異質の板であってもよく、回転自在に支持されるよう、軽量のものが好ましい。大きさは、前記多角柱形状の広告ディスプレイＰＯＰを組み立てて、各パネルユニットの回転板を回転させた際、隣合うパネルユニットの回転板同士が接触することのない大きさである。
【０００９】
本考案の広告ディスプレイＰＯＰにおけるパネルユニットにおいては、前記平板の開口部の１箇所と当該開口部に関してその真向かいの箇所において、回転板が回転可能な状態で取り付けられるが、この取り付けは、例えば、それぞれ係止部を有する２つの係止具を、その係止部を互いに反対方向に向けて回転自在に連結して成る回転フック等の連結手段を用いてなすことができる。この他、前記箇所において、１本の真っ直ぐなロッドの一端を平板開口部周囲の縁に、他端を回転板周囲の縁に差し込むことにより達成することもできる。  
【考案の効果】
【００１０】
本考案により、それぞれ多様な形態の平板と回転板を適宜選択して組み合わせて、バリエーションの広告意匠を具現化することができるパネルユニットが提供される。さらに、かかるパネルユニットを複数枚適宜選択して、多様な広告意匠を提示する、多様な形態(平板形状、多角柱形状等)の広告ディスプレイＰＯＰを簡便に組立てることができる。本考案の組立式広告ディスプレイＰＯＰは、その構成要素のパネルユニットの状態でたやすく運搬することができ、広告を提示する場所に応じた形状で、その場で自在に目的の広告ディスプレイＰＯＰを組み立てることができる。
【考案を実施するための最良の形態】
【００１１】
[実施例]   
次に、本考案を、図面に示す実施例に従って説明する。
図１は、本考案の広告ディスプレイＰＯＰを構成するパネルユニットの一例を示す。
この例における平板(１)は、上下各辺の長さ(Ｌ１)および左右各辺の長さ(Ｌ１’)がいずれも４２．５ｃｍで、厚さ(Ｗ１)０．５ｃｍの発砲スチロール製の正方形の板の中央から、直径２９ｃｍの円盤を切り出して、中央に直径(Ｌ２)２９ｃｍの開口部(２)を形成してある。そして前記正方形の板の右側辺の両端および中央から、８．５ｃｍ(Ｌ３)×２ｃｍ（Ｌ４）の切片を切り出して凸部(Ｔ)を２箇所形成し、左側辺において、前記凸部(Ｔ)の真向かいの箇所から、８．５ｃｍ(Ｌ３’)×２ｃｍ(Ｌ４’)の切片を切り出して、左側辺の当該箇所に、前記凸部(Ｔ)と合い補完する形状の凹部(Ｏ)を形成してある。さらに前記正方形の板の上下辺の両端から３分の１の所、それぞれ二箇所において、長さ２ｃｍ、幅１ｃｍの切り込み(Ｋ)を設けてある。平板(１)の両面には、広告意匠が印刷してある。また、前記平板(１)の開口部(２)の周囲上下二箇所に、回転フック(Ｆ)を係止するための直径０．５ｃｍの係止孔(Ｐ１およびＰ２)を設けてある。
【００１２】
この例における回転板(３)は、平板(１)と同じ０．５ｃｍ厚の発砲スチロール製の板から切り出した直径(Ｌ５)２７ｃｍの円盤である。回転板(３)の両面には、広告意匠が印刷してある。前記回転板(３)の周囲の上下二箇所に、回転フック(Ｆ)を係止するための直径０．５ｃｍの係止孔(Ｐ１’およびＰ２’)を設けてある。
前記平板(１)の開口部(２)の中央に前記回転板(３)を嵌め込む。前記平板(１)と前記回転板(３)の間に、１ｃｍ幅の隙間(Ｂ)ができる。２個のプラスチック製の回転フック(Ｆ；図２Ｃ)−これは、当該係止部(Ｆ１およびＦ１’)を互いに反対方向に向けて回転自在に連結して成るものである−を用いて、平板(１)と回転板(３)を連結する。即ち、前記平板の開口部周囲に設けた係止孔(Ｐ１およびＰ２)に、前記回転フック(Ｆ)の一方の係止部(Ｆ１)を、前記回転板の周囲に設けた係止孔(Ｐ１’およびＰ２’)に前記回転フックの他方の係止部(Ｆ１’)を、それぞれ係止することにより、前記隙間(Ｂ)において、回転フック(Ｆ)を介して、前記平板と前記回転板とが回転可能に連結される(図１Ａ)。
【００１３】
図３は、図１に示すパネルユニットを３枚横に並べ、隣り合うパネルユニットの合い補完する凹凸部(ＯとＴ)を嵌合して、パズル式に連結して１枚の平板状とした広告ディスプレイＰＯＰ(５)を示す。提示したい広告意匠の印刷の面を正面とし、スタンド(Ｓ１)にその背面を立て掛けたり(図３Ａ)、もしくは下辺をスタンド(Ｓ２)に挟んだりして(図３Ｂ)、店頭ないし店内に設置することができる。回転板(３)は、自在に回転する。
図４は、図１に示すパネルユニット４枚から、互いの合い補完する凹凸部(ＯとＴ)を嵌合することにより正四角柱を組み立てて成る正四角柱状とした広告ディスプレイＰＯＰ(６)を示す。回転板(３)は、隣のパネルユニットの回転板(３)と接触することなく回転する。
【００１４】
図５は、図４に示す正四角柱状広告ディスプレイＰＯＰ(６)を４個積み重ね、下のパネルユニットの平板の下辺に設けた切り込み(Ｋ)に、下のパネルユニットの平板の上辺に設けた切り込み(Ｋ)を嵌め込むことにより、４個の当該ディスプレイＰＯＰが極めて安定な積段形状を形成して成る広告ディスプレイＰＯＰである。
【００１５】
図６は、本考案の組立式広告ディスプレイＰＯＰを構成するパネルユニット(４)の別態様を示す。Ａの例では、平板(１)は図１に示すものと同じであるが、回転板(３)が同じ発砲スチロール板から形成された一辺１８．５ｃｍの正方形盤のものである。Ｂの例では、平板(１)が、その中央に、一辺２１ｃｍの正方形で、その角が上下水平に位置するように切り抜かれてなる開口部(２)を有するものである。そしてその回転板(３)については、一辺１９ｃｍの正方形盤から成る。Ｃの例では、平板(１)が、その中央に、最も長い径(Ｌ６)が２９ｃｍのハート形の開口部(２)が設けてあるものである。その回転板(３)は、その最も長い径(Ｌ７)が２７ｃｍで、当該ハート形の開口部(２)内に平板(１)と１ｃｍの間隔を開けて収まる大きさのハート形盤から成る。前記いずれの態様の平板においても、図１に示すと同様に、開口部上下箇所に０．５ｃｍの係止孔が設けてあり、前記いずれの態様の回転板においても、上下所定の箇所に直径０．５ｃｍの係止孔が設けてある。
【００１６】
図１および図６に示すような、種々の意匠をその表裏面に施した、種々の形状の平板(１)および回転板(３)を適宜選択して組み合わせ、前記所定の箇所(Ｐ１、Ｐ２、Ｐ１’、Ｐ２’)で、これらを例えば回転フック(Ｆ)で連結することにより、多種多様なパネルユニット(１)を作成することができる。かかるパネルユニットの中から同種ないし異種の複数枚のパネルユニットを適宜選択して組み立て、多様な形態の図３〜図５に示すような組立式広告ディスプレイＰＯＰを作成することができる。
【産業上の利用可能性】
【００１７】
本考案の組立式広告ディスプレイＰＯＰは、広告意匠の一部が回転するという従来にない奇抜な形態と、提示できる広告意匠の多様さ、運搬および組立の簡便さから、キャンペーン中の商品ないしサービスを消費者に印象づけるべく当該広告意匠を店頭ないし店内に設置するための販売促進ツールとして、特に商業上非常に有用である。
【図面の簡単な説明】
【００１８】
【図１】本考案の組立式広告ディスプレイＰＯＰを構成するパネルユニットの一例を示す図である。Ａは正面図、Ｂは側面図である。
【図２】図１に示すパネルユニットの構成要素を示す図である。Ａは、平板の正面図、Ｂは回転板の正面図、Ｃは回転フックの正面図および側面図である。
【図３】図１に示すパネルユニットを３枚パズル式に連結して平板状とした広告ディスプレイＰＯＰ、およびスタンドと組み合わせてのその使用態様を示す図である。
【図４】図３に示す平板状広告ディスプレイＰＯＰの別の使用態様を示す図である。
【図５】図１に示すパネルユニット４枚を組み立てて正四角柱状とした広告ディスプレイＰＯＰの斜視図である。
【図６】図５に示す広告ディスプレイＰＯＰを４個重ねて積段形状とした広告ディスプレイＰＯＰの斜視図である。
【図７】本考案の組立式広告ディスプレイＰＯＰを構成するパネルユニットの別態様例を示す図である。
【符号の説明】
【００１９】
１  平板
２  開口部
３  回転板
４  パネルユニット
５  平板状広告ディスプレイＰＯＰ
６  正四角柱状広告ディスプレイＰＯＰ
Ｂ  隙間
Ｆ  回転フック
Ｆ１およびＦ１’  係止部
Ｋ  切り込み
Ｌ１  平板の上辺の長さ
Ｌ１’平板の側辺の長さ
Ｌ２  開口部の直径
Ｌ３  切り出し切片の長さ
Ｌ４  切り出し切片の幅
Ｌ５  回転板直径
Ｌ６  ハート形開口部の最長部の径
Ｌ７  ハート形盤の最長部の径
Ｏ  凹部
Ｔ  凸部  
Ｐ１、Ｐ２、Ｐ１’、Ｐ２’  係止孔
Ｓ１、Ｓ２  スタンド
【図１】
0003108966.tif 000003
【図２】
0003108966.tif 000004
【図３】
0003108966.tif 000005
【図４】
0003108966.tif 000006
【図５】
0003108966.tif 000007
【図６】
0003108966.tif 000008
【図７】
0003108966.tif 000009